(57)【要約】【課題】別部品を必要とせず、狭い額縁のキャビネット構造を備えた表示装置及びテレビ受信装置を提供する。【解決手段】前側に表示面を有するパネルモジュール２と、パネルモジュール２の周縁部を取り囲むフロントキャビネット３と、パネルモジュール２の後側を覆うバックキャビネット４とを備えた表示装置において、フロントキャビネット３は、パネルモジュール２の前側周縁部を覆う環部３１と、パネルモジュール２の後側面縁部に係止する第一爪３２２と、環部３１及び第一爪３２２の間に架け渡される第一突出部３２１とを有し、パネルモジュール２の側面及び第一突出部３２１を取り囲んで覆う筒部４２を備える。【選択図】図３
2012058546.tif 000002
【特許請求の範囲】
【請求項１】
前側に表示面を有する表示パネルと、
該表示パネルの周縁部を取り囲むフロントキャビネットと、
前記表示パネルの後側を覆うバックキャビネットと
を備えた表示装置において、
前記フロントキャビネットは、
前記表示パネルの前側周縁部を覆う環状の前側覆部と、
前記表示パネルの後側面縁部に係止する係止部と、
前記前側覆部及び係止部の間に架け渡される連結部と
を有し、
前記表示パネルの側面及び連結部を取り囲んで覆う側面覆部
を備えることを特徴とする表示装置。
【請求項２】
前記連結部は前記前側覆部の外周縁部から後側へ突設されている
ことを特徴とする請求項１に記載の表示装置。
【請求項３】
前記係止部は内側に屈曲した爪である
ことを特徴とする請求項１又は請求項２に記載の表示装置。
【請求項４】
前記側面覆部は前記バックキャビネットの周縁部から前側へ突設されている
ことを特徴とする請求項１から請求項３までのいずれか一項に記載の表示装置。
【請求項５】
前記連結部は外側に突起を有する
ことを特徴とする請求項４に記載の表示装置。
【請求項６】
前記バックキャビネットは前側に突起を有する
ことを特徴とする請求項４又は請求項５に記載の表示装置。
【請求項７】
前記フロントキャビネットは、前記前側覆部の外周縁部から外側に延設され、かつ前側から前記バックキャビネットの側面覆部を隠蔽する隠蔽部を有する
ことを特徴とする請求項４から請求項６までのいずれか一項に記載の表示装置。
【請求項８】
前記バックキャビネットは周縁部に貫通穴を有し、
前記フロントキャビネットは、
前記貫通穴を前側から貫通し、前記バックキャビネットに係止する補助係止部と、
前記前側覆部及び補助係止部の間に架け渡される補助連結部と
を有する
ことを特徴とする請求項４から請求項７までのいずれか一項に記載の表示装置。
【請求項９】
前記補助連結部は前記前側覆部の外周縁部から後側へ突設されている
ことを特徴とする請求項８に記載の表示装置。
【請求項１０】
前記補助係止部は外側に屈曲した爪である
ことを特徴とする請求項８又は請求項９に記載の表示装置。
【請求項１１】
前記前側覆部は、前記バックキャビネットの側面覆部の内側に突設され、かつ前記表示パネルの側面の前側部分を取り囲んで覆う補助側面覆部を有し、
前記連結部及び補助連結部は前記補助側面覆部の後側端から後側へ突設されている
ことを特徴とする請求項８から請求項１０までのいずれか一項に記載の表示装置。
【請求項１２】
前記側面覆部は前記フロントキャビネットの前側覆部の外周縁部から後側へ突設されている
ことを特徴とする請求項１から請求項３までのいずれか一項に記載の表示装置。
【請求項１３】
前記バックキャビネットは前記フロントキャビネットの側面覆部及び連結部の間に形成される隙間に嵌入する楔を有する
ことを特徴とする請求項１２に記載の表示装置。
【請求項１４】
請求項１から請求項１３までのいずれか一項に記載の表示装置と、
テレビ放送を受信する受信部と
を備えることを特徴とするテレビ受信装置。
【発明の詳細な説明】
【技術分野】
【０００１】
本発明は、液晶テレビ、プラズマテレビ等の表示装置及びテレビ受信装置に関する。
【背景技術】
【０００２】
テレビ受信装置等の表示装置において、フロントキャビネットとパネルモジュールとは、固定アングル、ビス、固定フック等の別部品により固定されている。これらの別部品は、パネルモジュール周面の外側に配置され、フロントキャビネットとパネルモジュールとを固定している（例えば、特許文献１参照）。そのため、フロントキャビネットは画面の周囲を額縁のように取り巻いている。
【先行技術文献】
【特許文献】
【０００３】
【特許文献１】特開２００６−３３７９７６号公報
【発明の概要】
【発明が解決しようとする課題】
【０００４】
しかしながら、固定アングル、ビス、固定フック等の別部品はコストの増大及び組み立て工数の増大を招く。また、省スペース化に伴うフロントキャビネットの狭額縁化が要求されているが、別部品によるフロントキャビネットとパネルモジュールとの固定は、狭額縁化を阻害している。
【０００５】
本発明は斯かる事情に鑑みてなされたものであり、その目的は、別部品を必要とせず、狭い額縁のキャビネット構造を備えた表示装置及びテレビ受信装置を提供することにある。
【課題を解決するための手段】
【０００６】
本願に係る表示装置は、前側に表示面を有する表示パネルと、該表示パネルの周縁部を取り囲むフロントキャビネットと、前記表示パネルの後側を覆うバックキャビネットとを備えた表示装置において、前記フロントキャビネットは、前記表示パネルの前側周縁部を覆う環状の前側覆部と、前記表示パネルの後側面縁部に係止する係止部と、前記前側覆部及び係止部の間に架け渡される連結部とを有し、前記表示パネルの側面及び連結部を取り囲んで覆う側面覆部を備えることを特徴とする。
【０００７】
本願に係る表示装置では、フロントキャビネットの環状の前側覆部は、表示パネルの前側周縁部を覆っている。フロントキャビネットの係止部は、表示パネルの後側面縁部に係止する。フロントキャビネットの連結部は、前側覆部と係止部との間に架け渡されている。側面覆部は、表示パネルの側面と連結部とを外側から取り囲んで覆っている。
【０００８】
本願に係る表示装置は、前記連結部は前記前側覆部の外周縁部から後側へ突設されていることを特徴とする。
【０００９】
本願に係る表示装置では、フロントキャビネットの連結部は、環状の前側覆部の外周縁部から後側に突設されている。
【００１０】
本願に係る表示装置は、前記係止部は内側に屈曲した爪であることを特徴とする。
【００１１】
本願に係る表示装置では、表示パネルの後側面縁部に係止する係止部は、内側に折れ曲がった爪である。
【００１２】
本願に係る表示装置は、前記側面覆部は前記バックキャビネットの周縁部から前側へ突設されていることを特徴とする。
【００１３】
本願に係る表示装置では、表示パネルの側面及びフロントキャビネットの連結部を外側から取り囲んで覆う側面覆部は、バックキャビネットの周縁部から前側に突設されている。
【００１４】
本願に係る表示装置は、前記連結部は外側に突起を有することを特徴とする。
【００１５】
本願に係る表示装置では、前側覆部と係止部との間に架け渡される連結部の外側には、突起が設けられている。
【００１６】
本願に係る表示装置は、前記バックキャビネットは前側に突起を有することを特徴とする。
【００１７】
本願に係る表示装置では、バックキャビネットの前側には、突起が設けられている。
【００１８】
本願に係る表示装置は、前記フロントキャビネットは、前記前側覆部の外周縁部から外側に延設され、かつ前側から前記バックキャビネットの側面覆部を隠蔽する隠蔽部を有することを特徴とする。
【００１９】
本願に係る表示装置では、フロントキャビネットの隠蔽部は、前側覆部の外周縁部から外側に延びて設けられている。表示装置を前側から見た場合、隠蔽部は後側のバックキャビネットの側面覆部を隠蔽する。
【００２０】
本願に係る表示装置は、前記バックキャビネットは周縁部に貫通穴を有し、前記フロントキャビネットは、前記貫通穴を前側から貫通し、前記バックキャビネットに係止する補助係止部と、前記前側覆部及び補助係止部の間に架け渡される補助連結部とを有することを特徴とする。
【００２１】
本願に係る表示装置では、バックキャビネットの周縁部には、貫通穴が設けられている。フロントキャビネットの補助係止部は、バックキャビネットの貫通穴を前側から貫通し、バックキャビネットに係止する。フロントキャビネットの補助連結部は、前側覆部と補助係止部との間に架け渡されている。
【００２２】
本願に係る表示装置は、前記補助連結部は前記前側覆部の外周縁部から後側へ突設されていることを特徴とする。
【００２３】
本願に係る表示装置では、フロントキャビネットの補助連結部は、前側覆部の外周縁部から後側に突設されている。
【００２４】
本願に係る表示装置は、前記補助係止部は外側に屈曲した爪であることを特徴とする。
【００２５】
本願に係る表示装置では、フロントキャビネットの補助係止部は、外側に折れ曲がった爪である。
【００２６】
本願に係る表示装置は、前記前側覆部は、前記バックキャビネットの側面覆部の内側に突設され、かつ前記表示パネルの側面の前側部分を取り囲んで覆う補助側面覆部を有し、前記連結部及び補助連結部は前記補助側面覆部の後側端から後側へ突設されていることを特徴とする。
【００２７】
本願に係る表示装置では、補助側面覆部は、フロントキャビネットの前側覆部に設けられている。補助側面覆部は、バックキャビネットの側面覆部の内側に突設されており、表示パネルの側面の前側部分を取り囲んで覆っている。フロントキャビネットの連結部と補助連結部とは、補助側面覆部の後側端から後側に突設されている。
【００２８】
本願に係る表示装置は、前記側面覆部は前記フロントキャビネットの前側覆部の外周縁部から後側へ突設されていることを特徴とする。
【００２９】
本願に係る表示装置では、表示パネルの側面及びフロントキャビネットの連結部を外側から取り囲んで覆う側面覆部は、フロントキャビネットの前側覆部の外周縁部から後側に突設されている。
【００３０】
本願に係る表示装置は、前記バックキャビネットは前記フロントキャビネットの側面覆部及び連結部の間に形成される隙間に嵌入する楔を有することを特徴とする。
【００３１】
本願に係る表示装置では、フロントキャビネットの側面覆部と連結部との間に、隙間が形成されている。バックキャビネットには、この隙間に嵌入する楔が設けられている。
【００３２】
本願に係るテレビ受信装置は、上述の表示装置と、テレビ放送を受信する受信部とを備えることを特徴とする。
【００３３】
本願に係るテレビ受信装置では、表示装置と、テレビ放送を受信する受信部とを備えている。
【発明の効果】
【００３４】
本発明によれば、別部品を必要とせず、狭い額縁のキャビネット構造を備えた表示装置及びテレビ受信装置を提供することができる。
【図面の簡単な説明】
【００３５】
【図１】テレビ受信装置の概略斜視図である。
【図２】パネルモジュール、フロントキャビネット及びバックキャビネットを分解した概略斜視図である。
【図３】第一突出部及び第一爪を切断するテレビ受信装置の模式的部分断面図である。
【図４】第二突出部及び第二爪を切断するテレビ受信装置の模式的部分断面図である。
【図５】フロントキャビネットの他例の概略斜視図である。
【図６】第一突出部及び第一爪を切断するテレビ受信装置の他例の模式的部分断面図である。
【図７】第一突出部及び第一爪を切断するテレビ受信装置の他例の模式的部分断面図である。
【図８】第一突出部、第一爪及び楔状リブの模式的斜視図である。
【発明を実施するための形態】
【００３６】
以下、本発明の一実施例における表示装置を、実施の形態を示す図面に基づいて説明する。本実施形態に係る表示装置は、例えば液晶テレビ受信装置、プラズマテレビ受信装置、パーソナルコンピュータの液晶ディスプレイ、有機ＥＬ（Electro Luminescence）ディスプレイ、ＳＥＤ（Surface-conduction Electron-emitter Display）等を含む。以下では、表示装置の一例として、テレビ受信装置を挙げて説明する。
なお、本発明は、以下の実施の形態に限定されるものではない。
【００３７】
実施の形態１
図１は、テレビ受信装置１の概略斜視図である。図１は、テレビ受信装置１を前側斜め上から示している。
テレビ受信装置１は、パネルモジュール（表示パネル）２、フロントキャビネット３、バックキャビネット４、テレビ放送を受信する受信部Ｔ、電源Ｐ及びスタンドＳを含む。パネルモジュール２は、前側のフロントキャビネット３により前側周縁部が取り囲まれている。後側のバックキャビネット４は、箱状をなし、パネルモジュール２及びフロントキャビネットの周面部分を外側から覆っている。スタンドＳは、パネルモジュール２、フロントキャビネット３及びバックキャビネット４を起立状態で支持している。受信部Ｔ及び電源Ｐは、パネルモジュール２の後側かつバックキャビネット４の前側に取り付けられている。
【００３８】
図２は、パネルモジュール２、フロントキャビネット３及びバックキャビネット４を分解した概略斜視図である。図２は、パネルモジュール２、フロントキャビネット３及びバックキャビネット４を後側斜め上から示している。
パネルモジュール２は、テレビ映像を表示する表示面２１を前方に有す横長の直方体状をなす。パネルモジュール２は、例えば表示面２１を有する液晶パネル、液晶パネルに後側から光を照射するバックライト等を含む。
【００３９】
フロントキャビネット３は、環部（前側覆部）３１及び筒部（補助側面覆部）３２を含む。
環部３１は、パネルモジュール２の表示面２１の周縁部を覆う板状の矩形部材である。環部３１は内側部分に開口を有し、ユーザはこの開口により、パネルモジュール２の表示面２１に表示されるテレビ映像を見ることができるようになっている。
筒部３２は、環部３１の外周縁から後側にその側面が突出するように設けられている。筒部３２は、後側から見て矩形状をなし、パネルモジュール２の側面の前側部分を覆っている。
【００４０】
筒部３２の後側端の左右辺及び上辺からパネルモジュール２の側面に沿ってパネルモジュール２の後側面端まで、板状の可撓性を有する第一突出部（連結部）３２１が突設されている。また、環部３１の下辺内部（外周端と内周端との間）の後側面からパネルモジュール２の側面に沿ってパネルモジュール２の後側面端まで、板状の可撓性を有する第一突出部３２１が一体的に突設されている。
【００４１】
第一突出部３２１の先端には、内側に屈曲した可撓性を有する第一爪（係止部）３２２が一体的に設けられている。パネルモジュール２とフロントキャビネット３とを組み合わせた場合、第一爪３２２はパネルモジュール２の後側面縁部に係止する。この第一爪３２２により、パネルモジュール２とフロントキャビネット３とは固定される。
【００４２】
筒部３２の後側端の上辺からパネルモジュール２の側面に沿ってバックキャビネット４まで、板状の可撓性を有する第二突出部（補助連結部）３２３が一体的に突設されている。第二突設部３２３の長さは第一突設部３２１の長さより長い。また、図２では隠れているが、環部３１の後側面の下辺内部からもパネルモジュール２の側面に沿ってバックキャビネット４まで、板状の可撓性を有する第二突出部３２３が一体的に突設されている。
【００４３】
第二突出部３２３の先端には、外側に屈曲した可撓性を有する第二爪（補助係止部）３２４が一体的に設けられている。フロントキャビネット３とバックキャビネット４とを組み合わせた場合、第二爪３２４はバックキャビネット４の後側面に係止する。この第二爪３２４により、フロントキャビネット３とバックキャビネット４とは固定される。
【００４４】
バックキャビネット４は、前側に開口面を有する略直方体の箱状をなし、覆部４１及び筒部（側面覆部）４２を含む。覆部４１は、パネルモジュール２の後側を覆う略矩形の板状部材である。バックキャビネット４の筒部４２は、フロントキャビネット３の筒部３２より大きい。テレビ受信装置１を組み立てた場合、バックキャビネット４の筒部４２は、パネルモジュール２の側面、フロントキャビネット３の筒部３２、第一突出部３２１及び第二突出部３２３を外側から取り囲んで覆う。
テレビ受信装置１を前側から見た場合、フロントキャビネット３の環部３１及びバックキャビネット４の筒部４２は、パネルモジュール２の表示面２１に対して額縁を構成している。
【００４５】
バックキャビネット４の覆部４１と筒部４２とが接合する上下辺の角部には、直方体状の切欠部４３が設けられている。切欠部４３は、後側から見た場合、周囲に対して前側へ窪んでおり、前側から見た場合、周囲に対して前側へ突出している。切欠部４３は、覆部４１後側面の延長部分に該当する開口と、筒部４２上下側面の外面の延長部分に該当する開口とを有する。後側から見た場合、覆部４１後側面の延長部分に該当する切欠部４３の開口と対向する切欠部４３の奥部には矩形状の貫通穴４３１が設けられている。
【００４６】
第二突出部３２３、第二爪３２４及び貫通穴４３１の夫々の数は、同じである。フロントキャビネット３とバックキャビネット４とを組み合わせた場合、第二爪３２４が貫通穴４３１を前側から後側へ貫通するように、第二突出部３２３、第二爪３２４及び貫通穴４３１の位置は設定されている。第二爪３２４は、貫通穴４３１の後側開口より外側の切欠部４３奥部の後側面に係止する。
【００４７】
バックキャビネット４の覆部４１には、テレビ受信装置１を組み立てた場合、フロントキャビネット３の第一爪３２２と対応する位置の内側に、すり鉢状の窪み４１１が設けられている。窪み４１１の略中央には、略円形の孔４１２が設けられている。
【００４８】
図３は、第一突出部３２１及び第一爪３２２を切断するテレビ受信装置１の模式的部分断面図である。第一爪３２２がパネルモジュール２の後側面縁部を係止することにより、パネルモジュール２とフロントキャビネット３とは固定されている。パネルモジュール２の後側面には、テレビ受信装置１を組み立てた場合、バックキャビネット４の窪み４１１及び孔４１２と対応する位置に、円錐台状のボス２２が設けられている。パネルモジュール２とバックキャビネット４とは、バックキャビネット４の孔４１２からボス２２にねじ５が螺合挿入されることにより、締結されている。なお、ねじ５の軸部はボス２２内部に留まった状態で締結を完了する長さでもよいし、パネルモジュール２まで挿入可能な長さでもよい。
【００４９】
バックキャビネット４の筒部４２と対向する第一突出部３２１の外側面には、突起３２５が設けられている。突起３２５は、筒部４２の内面に当接することにより、第一爪３２２がパネルモジュール２の後側面縁部から離脱することを阻止する機能を有している。
【００５０】
図４は、第二突出部３２３及び第二爪３２４を切断するテレビ受信装置１の模式的部分断面図である。第二爪３２４がバックキャビネット４の覆部４１後側面と略平行な切欠部４３奥部の後側面に係止することにより、バックキャビネット４とフロントキャビネット３とは固定されている。
なお、切欠部４３を設けずに、バックキャビネット４の覆部４１の周縁部に貫通穴４３１のみを設け、貫通穴４３１を前側から後側へ貫通する第二爪３２４が、貫通穴４３１後側開口よりも外側の覆部４１の後側面に係止してもよい。
【００５１】
第二爪３２４の係止力如何により、バックキャビネット４の筒部４２の前側端は、フロントキャビネット３の環部３１に対して前進又は後退する。そのため、バックキャビネット４の筒部４２の前側端とフロントキャビネット３の環部３１の前側面との間には、奥行方向の段差が生じ得る。
貫通穴４３１の前側開口よりも内側であって、パネルモジュール２の後側面と対向する切欠部４３奥部の前側面には、突起４３２が設けられている。パネルモジュール２の後側面に当接する突起４３２の大きさを調整することにより、上記の段差を無くす方向に補正することができる。あるいは、突起４３２の大きさ及び第二爪３２４の係止力の双方を調整することにより、上記の段差を無くす方向に補正することができる。
なお、突起４３２の設置位置は、貫通穴４３１の前側開口より内側に限らない。上記の段差を補正することができれば、バックキャビネット４の前側面のどこでもよい。例えば、突起４３２の設置位置は、貫通穴４３１から離れたバックキャビネット４の周縁部の前側面でもよい。
【００５２】
テレビ受信装置１によれば、狭額縁化を実現することができる。従来、フロントキャビネット３とパネルモジュール２とを固定するために、パネルモジュール２の外周の外側に固定アングル、ビス等の別部品が用いられていた。そして、これらの別部品は狭額縁化の阻害要因であった。しかし、テレビ受信装置１は、フロントキャビネット３から直接第一突出部３２１及び第一爪３２２を設けているため、別部品が不要である。第一突出部３２１及び第一爪３２２の外側には、これらを直接覆うバックキャビネット４の筒部４２だけが配置するため、テレビ受信装置１はより狭い額縁を実現することができる。すなわち、パネルモジュール２の外側の額縁の幅は、フロントキャビネット３とバックキャビネット４との合計の厚さまで低減されている。
また、別部品の削減は、コスト低減に資する。さらに、別部品の削減は、テレビ受信装置１の組み立て工数の低減にも資する。
【００５３】
フロントキャビネット３とバックキャビネット４とは、ビス等の締結部材により固定されることがある。しかし、テレビ受信装置１によれば、第二爪３２４が、バックキャビネット４に設けた貫通穴４３１を前側から後側に貫通して、フロントキャビネット３とバックキャビネット４とを固定する。これにより、テレビ受信装置１は、フロントキャビネット３とバックキャビネット４とを固定する別部品を削減することができる。
【００５４】
テレビ受信装置１によれば、フロントキャビネット３とパネルモジュール２とを固定する第一爪３２２は内側に屈曲し、フロントキャビネット３とバックキャビネット４とを固定する第二爪３２４は外側に屈曲している。そのため、互い違いの異なる方向に係止力が作用し、夫々の係止を解除する方向が異なるため、確実な係止が可能となる。
【００５５】
テレビ受信装置１によれば、第一突出部３２１の外側面に設けた突起３２５は、第一爪３２２がパネルモジュール２の後側面縁部から外れることを阻止することができる。これにより、外部からの振動等により、フロントキャビネット３がパネルモジュール２から外れることはなくなり、テレビ受信装置１の耐久性及び堅牢性が向上する。
【００５６】
テレビ受信装置１によれば、バックキャビネット４の前側面に設けた突起４３２は、バックキャビネット４の筒部４２の前側端とフロントキャビネット３の環部３１との間に生じる奥行方向の段差を防止することができる。これにより、表示面２１を取り囲む額縁の美観を高めることができる。
【００５７】
図２では、筒部３２の後側端の上辺及び環部３１の後側面の下辺内部（外周端と内周端の間）から夫々４つずつ第一突出部３２１及び第一爪３２２が設けられている。また、図２の例では、筒部３２の後側端の左右の辺から夫々２つずつ第一突出部３２１及び第一爪３２２が設けられている。しかし、第一突出部３２１及び第一爪３２２の数と設置場所は、図２の例に限るものではなく、例えば筒部３２の後側端の上下の辺からのみ夫々２つずつ第一突出部３２１及び第一爪３２２が設けられていてもよい。
【００５８】
図２では、筒部３２の後側端の上辺及び環部３１の後側面の下辺内部から夫々２つずつ第二突出部３２３及び第二爪３２４が設けられている。しかし、第二突出部３２３及び第二爪３２４の数と設置位置は、図２の例に限るものではなく、例えば筒部３２の後側端の左右の辺から夫々１つずつ第二突出部３２３及び第二爪３２４が設けられていてもよい。
また、環部３１の下辺内部から突設される第一突出部３２１及び第二突出部３２３は、筒部３２の後側端から突設されてもよい。
あるいは、環部３１の下辺には、第一突出部３２１及び第二突出部３２３を設けなくてもよい。
【００５９】
図５は、フロントキャビネット３の他例の概略斜視図である。図５は、後側斜め上から見たフロントキャビネット３を示している。図５に示すように、フロントキャビネット３に筒部３２を設けずに、環部３１の外周縁部から後側に、第一突出部３２１及び第二突出部３２３を一体的に設けてもよい。
図５では、環部３１の下辺に設けられた第一突出部３２１及び第二突出部３２３は、環部３１の下辺内部から一体的に突設されている。しかし、環部３１の下辺内部から突設される第一突出部３２１及び第二突出部３２３も、環部３１の外周縁部から後側に一体的に突設されてよい。あるいは、環部３１の下辺に、第一突出部３２１及び第二突出部３２３を設けなくてもよい。
【００６０】
図２では、バックキャビネット４の切欠部４３及び貫通穴４３１は、覆部４１と筒部４２の上下面との角部に夫々２つずつ設けられている。しかし、切欠部４３及び貫通穴４３１の数と設置位置は、図２の例に限るものではなく、例えば覆部４１と筒部４２の左右面との角部中央に夫々１つずつ設けられてもよい。また、切欠部４３を設けずに、貫通穴４３１のみを覆部４１の周縁部に設けてもよい。
【００６１】
図６は、第一突出部３２１及び第一爪３２２を切断するテレビ受信装置１の他例の模式的部分断面図である。図３及び図４において、前側からバックキャビネット４の筒部４２とフロントキャビネット３の環部３１とを見た場合、筒部４２と環部３１とは分離して視認される。しかし、図６に示すフロントキャビネット３の場合、環部３１の外周端から外側に延設された延設部（隠蔽部）３３を有する。延設部３３は、前側からバックキャビネット４の筒部４２を隠蔽するため、テレビ受信装置１の美観を向上させることができる。フロントキャビネット３に延設部３３を延設した場合、バックキャビネット４の突起４３２は設けなくてもよい。
【００６２】
実施の形態２
実施の形態２は、フロントキャビネット３の第一爪３２２がパネルモジュール２の後側面から外れないように、バックキャビネット４の前側面に楔状リブを設ける形態に関する。
【００６３】
図７は、第一突出部３２１及び第一爪３２２を切断するテレビ受信装置１０の他例の模式的部分断面図である。
フロントキャビネット３は、環部（前側覆部）３１、延設部（隠蔽部）３３、筒部（側面覆部）３４、第一突出部（連結部）３２１及び第一爪（係止部）３２２を含む。環部３１は、パネルモジュール２の前面周縁部を縁取る板状部材である。延設部３３は、環部３１の外周端から外側に延設された矩形状の張出部である。テレビ受信装置１０を前側から見た場合、環部３１と延設部３３とはパネルモジュール２の表示面２１を縁取る額縁を形成している。
【００６４】
環部３１の外周縁からパネルモジュール２の側面に沿ってパネルモジュール２の後側面端まで第一突出部３２１が突設されている。第一突出部３２１の先端には第一爪３２２が内側に折り曲げられて設けられている。第一爪３２２がパネルモジュール２の後側面縁部に係止することにより、フロントキャビネット３はパネルモジュール２に固定されている。第一爪３２２の先端形状は、対向するバックキャビネット４の前側面と略平行になるように、丸みを帯びた形状に形成されている。筒部３４は、延設部３３の外周縁部から後側に、パネルモジュール２の側面及び第一突出部３２１を外側から取り囲んで覆うように突設されている。筒部３４の内面と第一突出部３２１との間には、隙間３５が形成されている。
【００６５】
パネルモジュール２を後側から覆うバックキャビネット４は、覆部４４及び楔状リブ（楔）４５を含む。覆部４４は、後側に張り出した平たいドーム状をなす。覆部４４の前側外周端は、フロントキャビネット３の筒部３４の後側端と当接している。
【００６６】
図８は、第一突出部３２１、第一爪３２２及び楔状リブ４５の模式的斜視図である。楔状リブ４５は、フロントキャビネット３の筒部３４の内面と第一突出部３２１との間に形成される隙間３５と対向する覆部４４の周縁位置から前側に一体的に突設された板状部材である。楔状リブ４５は、例えば合成樹脂製の可撓体である。楔状リブ４５は、パネルモジュール２の表示面２１の横方向と略同一方向に厚みを有し、後側から前側に向かって高さ方向の幅が低減する楔状をなす。テレビ受信装置１０を組み立てた場合、楔状リブ４５はフロントキャビネット３の隙間３５に嵌入し、第一爪３２２内側に押圧する。
【００６７】
楔状リブ４５の設置位置より内側であって、パネルモジュール２の周縁部に対応する覆部４４の部分には、周囲の湾曲した形状と異なり、パネルモジュール２の後側面と略平行な平坦部４６が設けられている。図７において、平坦部４６の略中央には孔４５１が設けられている。
【００６８】
バックキャビネット４の孔４５１と対向するパネルモジュール２の後側面の位置から、略円筒形のボス２３が突設されている。パネルモジュール２とバックキャビネット４とは、バックキャビネット４の孔４５１からボス２３にねじ５が螺合挿入されることにより、締結される。なお、ねじ５の軸部はボス２３内部に留まった状態で締結を完了する長さでもよいし、パネルモジュール２本体まで挿入可能な長さでもよい。
【００６９】
テレビ受信装置１０によれば、楔状リブ４５は、第一爪３２２を内側に押圧しているため、第一爪３２２がパネルモジュール２の後側面縁部から外れることを阻止することができる。これにより、外部からの振動等により、フロントキャビネット３がパネルモジュール２から外れることはなくなり、テレビ受信装置１０の耐久性及び堅牢性が向上する。
【００７０】
図７では、フロントキャビネット３に延設部３３を設けているが、延設部３３はなくてもよい。かかる場合、パネルモジュール２の側面及び第一突出部３２１を外側から覆うように、環部３１の外周端から湾曲した筒部３４を設ける。
【００７１】
実施の形態２は以上の如きであり、その他は実施の形態１と同様であるので、対応する部分には同一の参照番号を付してその詳細な説明を省略する。
【符号の説明】
【００７２】
１、１０  テレビ受信装置
２        パネルモジュール
２１      表示面
３        フロントキャビネット
３１      環部
３２      筒部
３２１    第一突出部
３２２    第一爪
３２３    第二突出部
３２４    第二爪
３２５    突起
３３      延設部
３４      筒部
４        バックキャビネット
４２      筒部
４３２    突起
４５      楔状リブ
Ｔ        受信部
【図１】
2012058546.tif 000003
【図２】
2012058546.tif 000004
【図３】
2012058546.tif 000005
【図４】
2012058546.tif 000006
【図５】
2012058546.tif 000007
【図６】
2012058546.tif 000008
【図７】
2012058546.tif 000009
【図８】
2012058546.tif 000010